(57)【特許請求の範囲】
【請求項１】
基体表面に、第１の像部分と第２の像部分とを、シアン色インキを用いて、前記第１の像部分はスクリーン線数６５線、第２の像部分はスクリーン線数１５０線で印刷するとともに、前記第１の像部分と前記第２の像部分は、印刷物におけるスクリーン濃度Ａと、ベタ刷り印刷濃度に概算して印刷濃度Ｂが、以下の組み合わせから選択されたいずれかの組に含まれる値であることを特徴とする複写偽造防止用印刷物。
（Ａ，Ｂ）＝（２２〜２４％，０．６０），（１８〜２２％，０．６５〜０．７５），（１６〜２０％，０．８０），（１６〜１８％，０．８５），（１４〜１６％，０．９０〜１．００），（１４％，１．０５）
【請求項２】
基体表面に、第１の像部分と第２の像部分とを、マゼンタ色インキを用いて、前記第１の像部分はスクリーン線数６５線、第２の像部分はスクリーン線数１５０線で印刷するとともに、前記第１の像部分と前記第２の像部分は、印刷物におけるスクリーン濃度Ａと、ベタ刷り印刷濃度に概算して印刷濃度Ｂが、以下の組み合わせから選択されたいずれかの組に含まれる値であることを特徴とする複写偽造防止用印刷物。
（Ａ，Ｂ）＝（１８〜２２％，０．５５），（１６〜２０％，０．６０〜０，６５），（１６〜１８％，０，７０），（１６％，０，７５），（１４％，０．８０）
【請求項３】
基体表面に、第１の像部分と第２の像部分とを、イエロー色インキを用いて、前記第１の像部分はスクリーン線数６５線、第２の像部分はスクリーン線数１５０線で印刷するとともに、前記第１の像部分と前記第２の像部分は、印刷物におけるスクリーン濃度Ａと、ベタ刷り印刷濃度に概算して印刷濃度Ｂが、以下の組み合わせから選択されたいずれかの組に含まれる値であることを特徴とする複写偽造防止用印刷物。
（Ａ，Ｂ）＝（２４％，０．４５），（２０〜２４％，０，５０〜０，５５），（１８〜２２％，０，６０），（１８〜２０％，０，６５），（１８％，０，７０），（１６％，０，７５），（１４％，０．８０）
【発明の詳細な説明】
【０００１】
【産業上の利用分野】
本発明は、複写による偽造を防止した各種印刷物に関するものであり、例えば、紙幣、小切手、商品券、各種証券類等の印刷物をカラー複写して偽造することを防止するための印刷物に関する。
【０００２】
【従来の技術】
近年のカラー複写機の精度向上にともない、紙幣、小切手、商品券、各種証券類等を複写して偽造する事態が生じている。この複写による偽造を防止するために、特殊インキの使用、磁気マークの刷り込み、蛍光物質による隠し文字の印刷などが試みられてきたが、持続性の欠如、特殊設備の必要性、コスト高等の点で問題があった。
【０００３】
これらの問題点を解決するものとして、既に、特公昭５５−４５４００号公報で開示された、基体表面に微細構成子よりなる潜像を印刷し、その潜像周囲の白地部分に潜像よりも粗または密な微細構成子を用いて印刷を施した潜像入り印刷物や、特公昭５８−４７７０８号で開示された、第１のトーン像及び第２のトーン像とともに印刷されたカムフラージュ・トーン像を有するカラー複合像を、第１のトーン像及び第２のトーン像の一方をカラー複写機で再生可能な密度、例えばスクリーン線数（スクリーンの単位長あたりの線や点の数）が１インチ（２．５４ｃｍ）あたり６５線で、他方を再生不可能な密度、例えばスクリーン線数が１インチ（２．５４ｃｍ）あたり１３０線でそれぞれ形成し、肉眼で観察するとき、前記第１のトーン像及び前記第２のトーン像の一方を他方と区別できないが、複写機により複写すると、一方のトーン像が明瞭に現出して警告マークを構成した文書、あるいは、特開平２−８１６９８号公報で開示された、基紙表面に、濃色の模様パターンを１５０〜１７５線、１０％程度の網点で、この模様パターン以外の背景パターンを模様パターンと明瞭に識別できる色合いで１５０〜１７５線、１０％程度の網点でそれぞれ印刷し、かつ基紙の一部にこの模様パターンが施されていることを示す文言を刷り込んだコピー偽造防止用紙が提案されている。さらに、特公昭５８−４７７０８号による文書を改良したものとして、実公平３−１５３３８号公報で開示された、カムフラージュ模様を組み込んだグラデーション印刷層を重ね刷りした全域機能型のコピー偽造防止用紙も提案されている。
【０００４】
【発明が解決しようとする課題】
しかしながら、これらの従来なされた提案では、それぞれの潜像に適合したコピー濃度で複写した場合には、潜像や文字による警告像が鮮明に顕出するが、コピー濃度が所定範囲を逸脱すると、これら警告像部分が不鮮明になり、背景部分との識別が困難になるという不都合を有している。例えば、カラー複写機の濃度調整を、淡いレベルに設定すると、警告像部分と背景部分とがともに同レベルの淡い濃度で複写され、肉眼での識別が困難となり、この傾向は特に、金額、発行年月日、タイトル等の表示部分と重なると顕著となる。この現象は、カラー複写機の再生レンズの限界値によるもので、一定濃度範囲を逸脱した場合に生ずるものである。実公平３−１５３３８号公報で開示された全域機能型のコピー偽造防止用紙には、このような不都合はないが、グラデーション印刷層を採用したことによって、印刷物のデザインに制約を受けるという新たな不都合が生ずる。
【０００５】
また一般に、版下におけるスクリーン濃度と、版下によって実際に印刷した印刷物における印刷濃度とは、印圧、インキ盛り量等の諸条件によって相違し、同一にはならないことが知られている。本発明は、上述した従来の偽造防止用印刷物が有していた不都合を解消するとともに、版下におけるスクリーン濃度と実際の印刷物における印刷濃度との相違をも考慮してなされたもので、濃い濃度から薄い濃度までの広範囲にわたるカラー複写において、鮮明な警告像もしくは背景が顕出して、警告像を明確に識別し得る複写偽造防止用印刷物を提供することを目的とする。
【０００６】
【課題を解決するための手段】
本発明者は、テストを重ねた結果、第１の像部分、例えば警告像部分及び第２の像部分、例えば背景部分を異なるスクリーン線数で印刷する印刷物において、スクリーン濃度、印刷濃度（ベタ刷り印刷部分の濃度）を適正に管理することにより、カラー複写機で複写するに際して、警告像部分のみ、あるいは背景部分のみが複写されることを見出した。
【０００７】
以下、本発明者が本発明をなすに至ったテストについて、図６〜図３７に基づいて説明するが、第１の像部分である警告像部分は、スクリーン線数６５線、版下での濃度が１０〜２４％（印刷物では１４〜２８％）で印刷し、第２の像部分である背景部分は、スクリーン線数１５０線、版下での濃度は、スクリーン線数６５線と同一でそれぞれ印刷した。なお、コピー濃度は１が最も淡く、９が最も濃い。そして、×は６５線部と１５０線部の両方が複写されない場合、○は６５線部は複写されるが、１５０線部は複写されない場合、△は６５線部と１５０線部の両方が複写される場合を示している。印刷物における印刷濃度は、反射濃度と白紙濃度との差によって求められるものであり、コウサー・ジャパン株式会社製のポータブル反射濃度計、商品名「スマート１００」を使用して測定した。
【０００８】
図６〜図１７はシアン色インキの場合を示すもので、図６及び図１７に示すように、印刷濃度が０．５５及び１．１０では、１〜９のすべてのコピー濃度において第１の像部分である警告像部分を認識しうるスクリーン濃度（本明細書では特にことわらない限り印刷物でのスクリーン濃度をいう）は存在しない。一方、図７〜図１６に示すように、印刷濃度が０．６０では、６５線部のスクリーン濃度が２２〜２４％、印刷濃度が０．６５〜０．７５では、６５線部のスクリーン濃度が１８〜２２％、印刷濃度が０．８０では、６５線部のスクリーン濃度が１６〜２０％、印刷濃度が０．８５では、６５線部のスクリーン濃度が１６〜１８％、印刷濃度が０．９０〜１．００では、６５線部のスクリーン濃度が１４〜１６％、印刷濃度が１．０５では、６５線部のスクリーン濃度が１４％、の各スクリーン濃度において、１〜９のすべてのコピー濃度で第１の像部分である警告像部分を認識しうることが理解できる。
【０００９】
また、図１８〜図２７はマゼンタ色インキの場合を示すもので、図１８、図１９、図２６、図２７に示すように、印刷濃度が０．４５、０．５０、０．８５及び０．９０では、１〜９のすべてのコピー濃度において第１の像部分である警告像部分を認識しうるスクリーン濃度は存在しない。一方、図２０〜図２５に示すように、印刷濃度が０．５５では、６５線部のスクリーン濃度が１８〜２２％、印刷濃度が０．６０〜０．６５では、６５線部のスクリーン濃度が１６〜２０％、印刷濃度が０．７０では、６５線部のスクリーン濃度が１６〜１８％、印刷濃度が０．７５では、６５線部のスクリーン濃度が１６％、印刷濃度が０．８０では、６５線部のスクリーン濃度が１４％、の各スクリーン濃度において、１〜９のすべてのコピー濃度で第１の像部分である警告像部分を認識しうることが理解できる。
【００１０】
さらに、図２８〜図３７はイエロー色インキの場合を示すもので、図２８及び図３７に示すように、印刷濃度が０．４０及び０．８５では、すべてのコピー濃度において第１の像部分である警告像部分を認識しうるスクリーン濃度は存在しない。一方、図２９〜図３６に示すように、印刷濃度が０．４５では、６５線部のスクリーン濃度が２４％、印刷濃度が０．５０〜０．５５では、６５線部のスクリーン濃度が２０〜２４％、印刷濃度が０．６０では、６５線部のスクリーン濃度が１８〜２２％、印刷濃度が０．６５では、６５線部のスクリーン濃度が１８〜２０％、前記印刷濃度が０．７０では、６５線部のスクリーン濃度が１８％、印刷濃度が０．７５では、６５線部のスクリーン濃度が１６％、印刷濃度が０．８０では、６５線部のスクリーン濃度が１４％、の各スクリーン濃度において、１〜９のすべてのコピー濃度で第１の像部分である警告像部分を認識しうることが理解できる。
【００１１】
本発明は、以上のような知見に基づいてなされたもので、基体表面に印刷する第１の像部分、例えば警告像部分と第２の像部分、例えば背景部分とを、シアン色インキを用いて、前記第１の像部分はスクリーン線数６５線、第２の像部分はスクリーン線数１５０線で印刷するとともに、前記第１の像部分と前記第２の像部分は、印刷物におけるスクリーン濃度Ａと、ベタ刷り印刷濃度に概算して印刷濃度Ｂが、以下の組み合わせから選択されたいずれかの組に含まれる値である。
（Ａ，Ｂ）＝（２２〜２４％，０．６０），（１８〜２２％，０．６５〜０．７５），（１６〜２０％，０．８０），（１６〜１８％，０．８５），（１４〜１６％，０．９０〜１．００），（１４％，１．０５）
【００１２】
また、上述のシアン色インキに換えて、マゼンタ色インキを用いて、第１の像部分と第２の像部分は、スクリーン線数６５線とスクリーン線数１５０線で印刷するとともに、印刷物におけるスクリーン濃度Ａと、ベタ刷り印刷濃度に概算して印刷濃度Ｂが、以下の組み合わせから選択されたいずれかの組に含まれる値である。
（Ａ，Ｂ）＝（１８〜２２％，０．５５），（１６〜２０％，０．６０〜０，６５），（１６〜１８％，０，７０），（１６％，０，７５），（１４％，０．８０）
さらに、上述のシアン色インキに換えて、イエロー色インキを用いて、第１の像部分と第２の像部分は、スクリーン線数６５線とスクリーン線数１５０線で印刷するとともに、印刷物におけるスクリーン濃度Ａと、ベタ刷り印刷濃度に概算して印刷濃度Ｂが、以下の組み合わせから選択されたいずれかの組に含まれる値である。
（Ａ，Ｂ）＝（２４％，０．４５），（２０〜２４％，０，５０〜０，５５），（１８〜２２％，０，６０），（１８〜２０％，０，６５），（１８％，０，７０），（１６％，０，７５），（１４％，０．８０）
【００１３】
【作用】
第１の像部分、例えば警告像部分と第２の像部分、例えば背景部分とを所定のインキで異なるスクリーン線数で印刷することにより、この印刷物をカラー複写機で複写するに際し、カラー複写機の濃度調節によって、濃淡がいずれか一方に偏った場合でも、印刷された第１の像部分と第２の像部分の一方の印刷部分が、肉眼で識別可能な状態で顕出する。
【００１４】
【実施例】
以下、本発明の好適な実施例を添付図面の図１〜図５に基づいて詳細に説明する。ここにおいて、図１はシアン色インキ一色で印刷した文字からなる第１の像部分である警告像部分と第２の像部分である地模様からなる背景部分とを有する印刷物を概略的に示す斜視図、図２はマゼンタ色インキ一色で印刷した同様の警告部分と背景部分とを有する印刷物を概略的に示す斜視図、図３はシアン色インキとイエロー色インキの２色を重ねて印刷した印刷物を概略的に示す斜視図、図４はマゼンタ色インキとシアン色インキの２色を重ねて印刷した印刷物を概略的に示す斜視図、図５はその複写した状態を概略的に示す斜視図である。
【００１５】
まず、シアン色インキを採用した第１実施例について説明すると、シアン色インキによる印刷状態は図１に示すように、印刷物の基体１表面に、「コピー」の文字２からなる第１の像部分である警告像部分を、ベタ刷り印刷濃度に概算して印刷濃度０．７０、スクリーン線数６５線、スクリーン濃度１８％で印刷し、この文字２以外の地模様３部分を第２の像部分である背景部分として、ベタ刷り印刷濃度に概算して印刷濃度０．７０、スクリーン線数１５０線、スクリーン濃度１８％で印刷する。このような印刷によると、極めて注意深く観察する者であっても、肉眼では文字２部分と地模様３部分とを識別して視認することは不可能である。また、図示してはいないが、基体１上には通常の印刷物と同様に、タイトル、金額等の各種の印刷が可能である。そして、この印刷物をカラー複写機（キャノン製、カラーレーザーコピヤー５００）で複写したところ、広範囲のコピー濃度において文字２部分のみが複写されて顕出する結果となり、複写物であることが一目瞭然となった。
【００１６】
次に、マゼンタ色インキを採用した第２実施例について説明すると、マゼンタ色の印刷状態は図２に示すように、印刷物の基体１１表面には、「コピー」の文字１２からなる第１の像部分である警告像部分を、ベタ刷り印刷濃度に概算して印刷濃度０．６０、スクリーン線数１５０線、スクリーン濃度１６％で印刷し、この文字１２以外の地模様１３部分を第２の像部分である背景部分として、ベタ刷り印刷濃度に概算して印刷濃度０．６０、スクリーン線数６５線、スクリーン濃度１６％で印刷する。
【００１７】
このような印刷によると、極めて注意深く観察する者であっても、肉眼では文字１２部分と地模様１３部分とを識別して視認することは不可能である。また、図示してはいないが、基体１上には通常の印刷物と同様に、タイトル、金額等の各種の印刷が可能である。そして、この印刷物をカラー複写機（キャノン製、カラーレーザーコピヤー５００）で複写したところ、広範囲のコピー濃度において地模様１３部分のみが複写されて顕出する結果となり、複写物であることが一目瞭然となった。
【００１８】
続いて、シアン色インキとイエロー色インキの２色のインキを使用した場合の実施例を図３に基づいて説明する。印刷物の基体２１表面には、シアン色インキにより「コピー」の文字２２からなる第１の像部分である警告像部分を、ベタ刷り印刷濃度に概算して印刷濃度０．７５、スクリーン線数６５線、スクリーン濃度１８％で印刷し、この文字２２以外の地模様２３部分を第２の像部分である背景部分として、ベタ刷り印刷濃度に概算して印刷濃度０．７５、スクリーン線数１５０線、スクリーン濃度１４％で印刷する。これに重ねて、イエロー色インキにより文字２２からなる第１の像部分である警告像部分を、ベタ刷り印刷濃度に概算して印刷濃度０．５５、スクリーン線数１５０線、スクリーン濃度１４％で印刷し、この文字２２以外の地模様２３部分を第２の像部分である背景部分として、ベタ刷り印刷濃度に概算して印刷濃度０．５５、スクリーン線数６５線、スクリーン濃度１８％で印刷する。
【００１９】
このような印刷によると、極めて注意深く観察する者であっても、肉眼では文字２２部分と地模様２３部分とを識別して視認することは不可能である。また、図示してはいないが、基体２１上には通常の印刷物と同様に、タイトル、金額等の各種の印刷が可能である。そして、この印刷物をカラー複写機（キャノン製、カラーレーザーコピヤー５００）で複写したところ、広範囲のコピー濃度において文字２２部分と地模様２３部分が複写される結果となり、複写物であることが一目瞭然となった。
【００２０】
次に、マゼンタ色インキとシアン色インキを採用した実施例について説明する。図４に示すように、印刷物の基体３１表面に、マゼンタ色インキにより警告模様３２からなる第１の像部分である警告像部分を、ベタ刷り印刷濃度に概算して印刷濃度が０．６０、スクリーン線数６５線、スクリーン濃度１８％で印刷し、この警告模様３２以外の地模様３３部分である第２の像部分である背景部分を、ベタ刷り印刷濃度に概算して印刷濃度が０．６０、スクリーン線数１５０線、スクリーン濃度１４％で印刷する。これに重ねて、シアン色インキにより文字３２からなる第１の像部分である警告像部分を、ベタ刷り印刷濃度に概算して印刷濃度が０．６５、スクリーン線数１５０線、スクリーン濃度１４％で印刷し、この警告模様３２以外の地模様３３部分を第２の像部分である背景部分として、ベタ刷り印刷濃度に概算して印刷濃度が０．６５、スクリーン線数６５線、スクリーン濃度１８％で印刷する。
【００２１】
このような印刷によると、極めて注意深く観察する者であっても、肉眼では警告模様３２部分と地模様３３部分とを識別して視認することは不可能である。また、図示してはいないが、基体３１上には通常の印刷物と同様に、タイトル、金額等の各種の印刷が可能である。そして、この印刷物をカラー複写機（キャノン製、カラーレーザーコピヤー５００）で複写したところ、広範囲のコピー濃度において警告模様３２部分と地模様３３部分とを識別できるように複写される結果となり、複写物であることが一目瞭然となった。
【００２２】
なお、本発明における異なる２色の組み合わせは、上述した各２色の組み合わせに限られるものではなく、マゼンタ色インキとイエロー色インキとの組み合わせでもよいものである。また、カラー複写機で複写されて顕出するのは第１の像である警告像部分と第２の像である背景部分のいずれでもよく、両部分の識別が可能であればよいものである。さらに、肉眼による警告像部分と背景部分の識別をより困難にするために、カムフラージュパターンを全面的に印刷してもよいものである。またさらに、第１の像部分と第２の像部分とは、複数の文字同士で構成したり、文字と模様の組み合わせで構成してもよい。
【００２３】
【発明の効果】
以上説明したところで明らかなように、本発明によれば、第１の像部分と第２の像部分との同一インキ色は異なるスクリーン線数で印刷することにより、肉眼では第１の像部分と第２の像部分との識別はほとんど不可能であるが、カラー複写機で複写すると、コピー濃度の濃淡にかかわらず、警告像もしくは背景の鮮明な顕出を可能としたので、警告像を明確に識別できて、複写物は一目瞭然であり、複写による印刷物の偽造を確実に防ぐことができるという効果を奏する。
【図面の簡単な説明】
【図１】  シアン色インキ一色で印刷した文字からなる第１の像部分である警告像部分と地模様からなる第２の像部分である背景部分とを有する印刷物を概略的に示す斜視図。
【図２】  マゼンタ色インキ一色で印刷した同様の警告部分と背景部分とを有する印刷物を概略的に示す斜視図。
【図３】  シアン色インキとイエロー色インキの２色を重ねて印刷した第１の像部分である警告像部分と地模様からなる第２の像部分である背景部分とを有する印刷物を概略的に示す斜視図。
【図４】  マゼンタ色インキとシアン色インキの２色を重ねて印刷した第１の像部分である警告像部分と地模様からなる第２の像部分である背景部分とを有する印刷物を概略的に示す斜視図。
【図５】  図４の印刷物を複写した状態を概略的に示す斜視図。
【図６】  印刷濃度０．５５のシアン色インキのテスト結果を概略的に示す説明図。
【図７】  印刷濃度０．６０のシアン色インキのテスト結果を概略的に示す説明図。
【図８】  印刷濃度０．６５のシアン色インキのテスト結果を概略的に示す説明図。
【図９】  印刷濃度０．７０のシアン色インキのテスト結果を概略的に示す説明図。
【図１０】  印刷濃度０．７５のシアン色インキのテスト結果を概略的に示す説明図。
【図１１】  印刷濃度０．８０のシアン色インキのテスト結果を概略的に示す説明図。
【図１２】  印刷濃度０．８５のシアン色インキのテスト結果を概略的に示す説明図。
【図１３】  印刷濃度０．９０のシアン色インキのテスト結果を概略的に示す説明図。
【図１４】  印刷濃度０．９５のシアン色インキのテスト結果を概略的に示す説明図。
【図１５】  印刷濃度１．００のシアン色インキのテスト結果を概略的に示す説明図。
【図１６】  印刷濃度１．０５のシアン色インキのテスト結果を概略的に示す説明図。
【図１７】  印刷濃度１．１０のシアン色インキのテスト結果を概略的に示す説明図。
【図１８】  印刷濃度０．４５のマゼンタ色インキのテスト結果を概略的に示す説明図。
【図１９】  印刷濃度０．５０のマゼンタ色インキのテスト結果を概略的に示す説明図。
【図２０】  印刷濃度０．５５のマゼンタ色インキのテスト結果を概略的に示す説明図。
【図２１】  印刷濃度０．６０のマゼンタ色インキのテスト結果を概略的に示す説明図。
【図２２】  印刷濃度０．６５のマゼンタ色インキのテスト結果を概略的に示す説明図。
【図２３】  印刷濃度０．７０のマゼンタ色インキのテスト結果を概略的に示す説明図。
【図２４】  印刷濃度０．７５のマゼンタ色インキのテスト結果を概略的に示す説明図。
【図２５】  印刷濃度０．８０のマゼンタ色インキのテスト結果を概略的に示す説明図。
【図２６】  印刷濃度０．８５のマゼンタ色インキのテスト結果を概略的に示す説明図。
【図２７】  印刷濃度０．９０のマゼンタ色インキのテスト結果を概略的に示す説明図。
【図２８】  印刷濃度０．４０のイエロー色インキのテスト結果を概略的に示す説明図。
【図２９】  印刷濃度０．４５のイエロー色インキのテスト結果を概略的に示す説明図。
【図３０】  印刷濃度０．５０のイエロー色インキのテスト結果を概略的に示す説明図。
【図３１】  印刷濃度０．５５のイエロー色インキのテスト結果を概略的に示す説明図。
【図３２】  印刷濃度０．６０のイエロー色インキのテスト結果を概略的に示す説明図。
【図３３】  印刷濃度０．６５のイエロー色インキのテスト結果を概略的に示す説明図。
【図３４】  印刷濃度０．７０のイエロー色インキのテスト結果を概略的に示す説明図。
【図３５】  印刷濃度０．７５のイエロー色インキのテスト結果を概略的に示す説明図。
【図３６】  印刷濃度０．８０のイエロー色インキのテスト結果を概略的に示す説明図。
【図３７】  印刷濃度０．８５のイエロー色インキのテスト結果を概略的に示す説明図。
【符号の説明】
１，１１，２１，３１      基体
２，１２，２２      文字
３，１３，２３      地模様
３２      警告模様
３３      地模様
【図１】
0003821497.tif 000002
【図２】
0003821497.tif 000003
【図３】
0003821497.tif 000004
【図４】
0003821497.tif 000005
【図５】
0003821497.tif 000006
【図６】
0003821497.tif 000007
【図７】
0003821497.tif 000008
【図８】
0003821497.tif 000009
【図９】
0003821497.tif 000010
【図１０】
0003821497.tif 000011
【図１１】
0003821497.tif 000012
【図１２】
0003821497.tif 000013
【図１３】
0003821497.tif 000014
【図１４】
0003821497.tif 000015
【図１５】
0003821497.tif 000016
【図１６】
0003821497.tif 000017
【図１７】
0003821497.tif 000018
【図１８】
0003821497.tif 000019
【図１９】
0003821497.tif 000020
【図２０】
0003821497.tif 000021
【図２１】
0003821497.tif 000022
【図２２】
0003821497.tif 000023
【図２３】
0003821497.tif 000024
【図２４】
0003821497.tif 000025
【図２５】
0003821497.tif 000026
【図２６】
0003821497.tif 000027
【図２７】
0003821497.tif 000028
【図２８】
0003821497.tif 000029
【図２９】
0003821497.tif 000030
【図３０】
0003821497.tif 000031
【図３１】
0003821497.tif 000032
【図３２】
0003821497.tif 000033
【図３３】
0003821497.tif 000034
【図３４】
0003821497.tif 000035
【図３５】
0003821497.tif 000036
【図３６】
0003821497.tif 000037
【図３７】
0003821497.tif 000038